(57)【要約】【課題】コストアップを招くことなく簡単な構成で輝度調整と色度補正を行って均一照明を実現することができるスイッチ装置を提供すること。【解決手段】ホルダ２内にスライド可能に収容された筒状のスライダ３の前端部に光透過性の操作ノブ４を取り付け、前記スライダ３の奥側に配置されたＬＥＤ（光源）６から出射する光をスライダ３内を通過させて前記操作ノブ４へと導いて該操作ノブ４を照明するようにしたスイッチ装置１において、前記操作ノブ４の前記ＬＥＤ６の光軸を中心とする領域４ａの厚さを他の領域４ｂの厚さよりも厚くするとともに、前記スライダ３を着色する。【選択図】図１
2014167854.tif 000002
【特許請求の範囲】
【請求項１】
ホルダ内にスライド可能に収容された筒状のスライダの前端部に光透過性の操作ノブを取り付け、前記スライダの奥側に配置された光源から出射する光をスライダ内を通過させて前記操作ノブへと導いて該操作ノブを照明するようにしたスイッチ装置において、
前記操作ノブの前記光源の光軸を中心とする領域の厚さを他の領域の厚さよりも厚くするとともに、前記スライダを着色したことを特徴とするスイッチ装置。
【発明の詳細な説明】
【技術分野】
【０００１】
本発明は、車載のエアコンやオーディオ等のコントロールパネルに設置されるスイッチ装置に関するものである。
【背景技術】
【０００２】
例えば、車載のエアコンのコントロールパネルには、ファンのＯＮ／ＯＦＦや風量を調節するためのスイッチ装置が設けられているが、斯かるスイッチ装置の従来例を図２に示す。
【０００３】
即ち、図２は従来のスイッチ装置を示す図であって、（ａ）は（ｂ）のＢ−Ｂ線断面図、（ｂ）はスイッチ装置の正面図である。
【０００４】
図２に示すスイッチ装置１０１は、エアコンに設けられたファンのＯＮ／ＯＦＦ及び風量を調整するためのものであって、エアコンコントロールパネル１１０に設置されている。このスイッチ装置１０１においては、円筒状のホルダ１０２内に同じく円筒状のスライダ１０３が前後（図２（ａ）の右方を前方とする）方向にスライド可能に収容されており、このスライダ１０３の前端部には円板状の操作ノブ１０４が取り付けられている。ここで、スライダ１０３は光不透過性樹脂で一体成形され、操作ノブ１０４は光透過性樹脂で一体成形されており、操作ノブ１０４の表面（意匠面）には、図２（ｂ）に示すように「ＰＵＳＨ」、「ＯＮ／ＯＦＦ」の文字とファンの図柄が表示されている。
【０００５】
又、操作ノブ１０４の外周側には、円筒状の操作ダイヤル１０５が回動可能に設けられている。そして、図２（ａ）に示すように、スライダ１０３の奥側（後方側）には、光源であるＬＥＤ１０６が配置されており、このＬＥＤ１０６は基板１０７上に実装されている。
【０００６】
以上のように構成されたスイッチ装置１０１において、運転者が操作ノブ１０４を押圧操作すると、該操作ノブ１０４と共にスライダ１０３が後方へと移動し、エアコンのファンがＯＮ／ＯＦＦされる。又、運転者が操作ダイヤル１０５を回動ａ操作すると、ファンの風量が調節される。
【０００７】
而して、夜間等においてはスイッチ装置１０１の操作性を高めるためにＬＥＤ１０６が点灯され、その光によって操作ノブ１０４が照明される。具体的には、ＬＥＤ１０６からの直接光はスライダ１０３の内部を通過して操作ノブ１０４に至り、この操作ノブ１０４を透過することによって該操作ノブ１０４の中心部分（図２の「直接光範囲」）を照明する。この場合、操作ノブ１０４のスライダ１０３の影になる箇所には直接光は当たらないが、ＬＥＤ１０６からの光の一部は、スライダ１０３の中で乱反射しながら間接光として操作ノブ１０４の周縁部分（図２の「間接光範囲」）を照明する。
【０００８】
しかし、スライダ１０３の内部で乱反射した間接光の輝度は、直接光の輝度に比べて低い（暗い）ため、輝度ムラが発生する。このため、操作ノブ１０４の裏面に印刷を直接光が当たる部分と間接光が当たる部分に分けて施し、直接光が当たる部分の印刷を濃くして光の透過率を抑え、輝度ムラをなくして均一な照明がなされるようにしている。
【０００９】
或いは、図３に示すように、操作ノブ１０４の裏面に印刷によってフィルタ１０８を直接光が当たる部分と間接光が当たる部分に分けて設け、直接光が当たる部分のフィルタ１０８の印刷を濃くして光の透過率を抑え、輝度ムラをなくして均一な照明がなされるようにしている。
【００１０】
又、特許文献１には、共通の光源からの距離が異なる２つの操作部材の照明強度を均一にするために減光調整層を設ける構成が提案されている。
【先行技術文献】
【特許文献】
【００１１】
【特許文献１】特開２００８−２８７９６３号公報
【発明の概要】
【発明が解決しようとする課題】
【００１２】
しかしながら、図２に示すように操作ノブ１０４の裏面に印刷を施し、図３に示すように操作ノブ１０４の裏面にフィルタ１０８を設けたり、或いは特許文献１において提案されたような減光調整層を設けると方法を採用すると、コストアップを招くという問題がある。
【００１３】
本発明は上記問題に鑑みてなされたもので、その目的とする処は、コストアップを招くことなく簡単な構成で輝度調整と色度補正を行って均一照明を実現することができるスイッチ装置を提供することにある。
【課題を解決するための手段】
【００１４】
上記目的を達成するため、本発明は、ホルダ内にスライド可能に収容された筒状のスライダの前端部に光透過性の操作ノブを取り付け、前記スライダの奥側に配置された光源から出射する光をスライダ内を通過させて前記操作ノブへと導いて該操作ノブを照明するようにしたスイッチ装置において、前記操作ノブの前記光源の光軸を中心とする領域の厚さを他の領域の厚さよりも厚くするとともに、前記スライダを着色したことを特徴とする。
【発明の効果】
【００１５】
本発明によれば、光源からスライダ内を通過して操作ノブに至る直接光が当たる操作ノブの中心領域（光源の光軸を中心とする領域）の厚さをその周囲の間接光が当たる領域の厚さよりも厚くしたため、該中心領域の透過率が高くなってこの領域の輝度が抑えられ、操作ノブの直接光が当たる部分と間接光が当たる部分の輝度ムラが解消されて均一な照明が実現される。
【００１６】
又、スライダを着色したため、該スライダの内部で乱反射する間接光の色度が補正され、直接光と間接光の色度ズレを解消することができ、操作ノブの均一照明が実現される。
【００１７】
そして、以上の効果は、従来のように印刷やフィルタ、減光調整層等を設けることなく、簡単な構成によって得られるため、コストアップを招くことがない。
【図面の簡単な説明】
【００１８】
【図１】本発明に係るスイッチ装置を示す図であって、（ａ）は（ｂ）のＡ−Ａ線断面図、（ｂ）は正面図である。
【図２】従来例１に係るスイッチ装置を示す図であって、（ａ）は（ｂ）のＢ−Ｂ線断面図、（ｂ）は正面図である。
【図３】従来例２に係るスイッチ装置の側断面図である。
【発明を実施するための形態】
【００１９】
以下に本発明の実施の形態を添付図面に基づいて説明する。
【００２０】
図１は本発明に係るスイッチ装置を示す図であって、（ａ）は（ｂ）のＡ−Ａ線断面図、（ｂ）は正面図であり、図示のスイッチ装置１は、エアコンに設けられたファンのＯＮ／ＯＦＦ及び風量を調整するためのものであって、エアコンコントロールパネル１０に設置されている。このスイッチ装置１においては、円筒状のホルダ２内に同じく円筒状のスライダ３が前後（図１（ａ）の左右方向）にスライド可能に収容されており、このスライダ３の前端部には有底筒状の操作ノブ４が取り付けられている。ここで、スライダ３は光不透過性の着色樹脂によって一体成形されている。又、操作ノブ４は光透過性樹脂で一体成形されており、そのの表面（意匠面）には、図１（ｂ）に示すように「ＰＵＳＨ」、「ＯＮ／ＯＦＦ」の文字とファンの図柄が表示されている。
【００２１】
又、操作ノブ４の外周側には、円筒状の操作ダイヤル５が回動可能に設けられている。そして、図１（ａ）に示すように、スライダ３の奥側（後方側）には、光源であるＬＥＤ６が配置されており、このＬＥＤ６は基板７上に実装されている。
【００２２】
以上のように構成されたスイッチ装置１において、運転者が操作ノブ４を押圧操作すると、該操作ノブ４と共にスライダ３が後方へと移動し、エアコンのファンがＯＮ／ＯＦＦされる。又、運転者が操作ダイヤル５を回動操作すると、ファンの風量が調節される。
【００２３】
ところで、本実施の形態においては、図１（ａ）に示すように、操作ノブ４のＬＥＤ６の光軸を中心とする領域４ａの厚さを他の領域（周縁の領域）４ｂの厚さよりも厚くするとともに、前述のようにスライダ３を着色している。
【００２４】
而して、夜間等においてはスイッチ装置１の操作性を高めるためにＬＥＤ６が点灯され、その光によって操作ノブ４が照明される。具体的には、ＬＥＤ６からの直接光はスライダ３の内部を通過して操作ノブ４に至り、この操作ノブ４を透過することによって該操作ノブ４の中心部分（図１の「直接光範囲」）を照明する。この場合、操作ノブ４のスライダ３の影になる箇所には直接光は当たらないが、ＬＥＤ６からの光の一部は、スライダ３の中で乱反射しながら間接光として操作ノブ４の周縁部分（図１の「間接光範囲」）を照明する。
【００２５】
ところで、スライダ３の内部で乱反射した間接光の輝度は直接光の輝度に比べて低い（暗い）が、本実施の形態では、前述のようにＬＥＤ２からスライダ３内を通過して操作ノブ４に至る直接光が当たる操作ノブ４の中心領域（ＬＥＤ６の光軸を中心とする領域）４ａの厚さをその周囲の間接光が当たる領域４ｂの厚さよりも厚くしたため、該中心領域４ａの透過率が高くなってこの領域４ａに当たる直接光の輝度が抑えられる。この結果、操作ノブ４の直接光が当たる部分と間接光が当たる部分の輝度ムラが解消されて操作ノブ４の均一な照明が実現される。
【００２６】
又、本実施の形態では、スライダ３を着色したため、該スライダ３の内部で乱反射する間接光の色度が補正され、直接光と間接光の色度ズレが解消されて操作ノブ４の均一照明が実現する。
【００２７】
そして、以上の効果は、従来のように印刷やフィルタ、減光調整層等を設けることなく、簡単な構成によって得られるため、コストアップを招くことがない。
【００２８】
尚、以上は本発明をエアコンコントロールパネルに設置されたスイッチ装置に対して適用した形態について説明したが、本発明は、オーディオコントロールパネルに設置されたスイッチ装置、エンジンスタート／ストップスイッチ等、照明機能を備えた他の任意のスイッチ装置に対しても同様に適用可能であることは勿論である。
【符号の説明】
【００２９】
１      スイッチ装置
２      ホルダ
３      スライダ
４      操作ノブ
４ａ    操作ノブの中心領域
４ｂ    操作ノブの周縁領域
５      操作ダイヤル
６      ＬＥＤ（光源）
７      基板
１０    エアコンコントロールパネル
【図１】
2014167854.tif 000003
【図２】
2014167854.tif 000004
【図３】
2014167854.tif 000005